(57)【要約】      （修正有）【課題】加熱装置に対する加熱条件の設定操作を不要とすることが可能な加熱システム、加熱装置、容器、加熱制御方法、及びプログラムを提供する。【解決手段】加熱システム１は、加熱する対象物３の容器に加熱情報を取得可能な情報コード４を付しておき、加熱装置２の加熱室６内に対象物３が載置され、扉５が閉じられると、加熱装置２のコード読取部が対象物３に付された情報コード４を読み取って加熱情報を取得する。加熱装置２は、取得した加熱情報に従って対象物３の加熱を制御する。そのため、利用者が加熱条件の入力操作を行わなくても、対象物３に適した加熱条件に従って加熱装置２における加熱動作を行わせることが可能となる。【選択図】図１
2019011882.tif 000002
【特許請求の範囲】
【請求項１】
対象物に付した情報コードと、前記対象物を加熱する加熱装置と、を備えた加熱システムであって、
前記情報コードには、前記対象物の加熱情報を取得可能な情報が記録され、
前記加熱装置は、
前記情報コードから読み取った情報に基づき加熱情報を取得する加熱情報取得部と、
取得した加熱情報に従って前記対象物への加熱を制御する加熱制御部と、
を備えることを特徴とする加熱システム。
【請求項２】
前記加熱装置は、加熱室を有し、
前記対象物が前記加熱室に載置された状態で前記情報コードを読み取るコード読取部を備えることを特徴とする請求項１に記載の加熱システム。
【請求項３】
前記加熱情報は、前記対象物における１または複数の部分毎の加熱条件情報を含み、
前記加熱制御部は、前記部分を、対応する前記加熱条件情報に従って加熱することを特徴とする請求項２に記載の加熱システム。
【請求項４】
前記加熱情報は、前記部分の前記対象物内における位置情報である対象物内位置情報を含み、
前記加熱制御部は、前記対象物内位置情報に基づいて、前記部分の前記加熱室内における位置情報である加熱室内位置情報を算出し、該加熱室内位置情報に基づいて前記部分の加熱領域を決定することを特徴とする請求項３に記載の加熱システム。
【請求項５】
前記情報コードには、前記加熱情報を記憶する記憶領域のアドレス情報が記録され、
前記加熱情報取得部は、前記情報コードから前記アドレス情報を読み取り、前記記憶領域にアクセスし、前記記憶領域から前記加熱情報を取得することを特徴とする請求項１から請求項４のいずれかに記載の加熱システム。
【請求項６】
対象物に付した情報コードと、前記対象物を加熱する加熱装置と、情報端末と、を備えた加熱システムであって、
前記情報コードには、前記対象物の加熱情報を取得可能な情報が記録され、
前記情報端末は、
前記情報コードを読み取るコード読取部と、
読み取った情報に基づき加熱情報を取得する加熱情報取得部と、
取得した加熱情報を前記加熱装置に送信する送信部と、を備え、
前記加熱装置は、
前記情報端末から前記加熱情報を受信する受信部と、
受信した加熱情報に従って前記対象物への加熱を制御する加熱制御部と、を備えることを特徴とする加熱システム。
【請求項７】
対象物を加熱する加熱装置であって、
前記対象物に付された情報コードから読み取った情報に基づき前記対象物の加熱情報を取得する加熱情報取得部と、
取得した前記加熱情報に従って前記対象物への加熱を制御する加熱制御部と、
を備えることを特徴とする加熱装置。
【請求項８】
加熱装置により加熱される内容物を入れる容器であって、
前記加熱装置における加熱情報を取得可能な情報コードが付された容器。
【請求項９】
対象物に付した情報コードと、前記対象物を加熱する加熱装置と、を備えた加熱システムにおける加熱制御方法であって、
前記情報コードには、前記対象物の加熱情報を取得可能な情報が記録され、
前記加熱装置が、
前記情報コードから読み取った情報に基づき加熱情報を取得するステップと、
取得した加熱情報に従って前記対象物への加熱を制御するステップと、
を含むことを特徴とする加熱制御方法。
【請求項１０】
対象物を加熱する加熱装置を制御するコンピュータを、
前記対象物に付された情報コードから読み取った情報に基づき前記対象物の加熱情報を取得する加熱情報取得手段、
取得した加熱情報に従って前記対象物への加熱を制御する加熱制御手段、
として機能させるためのプログラム。
【発明の詳細な説明】
【技術分野】
【０００１】
本発明は、加熱システム、加熱装置、容器、加熱制御方法、及びプログラムに関し、詳細には、情報コードを用いた加熱装置の制御に関する。
【背景技術】
【０００２】
電子レンジ等の加熱装置を用いて加熱を施す食品の容器には、加熱時間や出力ワット数等の加熱に関する情報が、文字やイラスト等により表記されている。利用者は、それらの表記内容を目視により確認し、加熱装置の操作部を操作して加熱条件を設定し、加熱を開始する。
【０００３】
また、例えば特許文献１には、電子レンジ等の記憶装置に代表的な市販食品のＪＡＮコード対応数値に対応して加熱制御情報、食品名称を記憶しておき、入力装置からＪＡＮコード対応数値を入力すると、記憶装置に記憶されているＪＡＮコード対応数値から当該ＪＡＮコード対応数値に対応した加熱制御情報を検索し、読み出した加熱制御情報に基づいて加熱調理を実行する電子レンジが記載されている。これにより、市販食品を簡単な入力操作で確実に加熱調理することが可能となる。
【先行技術文献】
【特許文献】
【０００４】
【特許文献１】特開平１１−１８２８５０号公報
【発明の概要】
【発明が解決しようとする課題】
【０００５】
しかしながら、特許文献１の加熱制御の方法は、利用者がＪＡＮコードの微細な文字を読み、数値入力する必要がある。加熱情報に関する表記が小型細字の場合には、特に高齢者等には読み難いこともあり、誤って設定してしまうことがある。また、電子レンジ側でＪＡＮコード対応数値に対応する加熱制御情報を記憶しておく必要があり、新商品については新に加熱制御情報を取得する等、情報の更新作業が随時必要である。
【０００６】
本発明は、このような課題に鑑みてなされたもので、加熱装置に対する加熱条件の設定操作を不要とすることが可能な加熱システム、加熱装置、容器、加熱制御方法、及びプログラムを提供することを目的とする。
【課題を解決するための手段】
【０００７】
前述した課題を解決するため第１の発明は、対象物に付した情報コードと、前記対象物を加熱する加熱装置と、を備えた加熱システムであって、前記情報コードには、前記対象物の加熱情報を取得可能な情報が記録され、前記加熱装置は、
前記情報コードから読み取った情報に基づき加熱情報を取得する加熱情報取得部と、取得した加熱情報に従って前記対象物への加熱を制御する加熱制御部と、
を備えることを特徴とする加熱システムである。
【０００８】
第１の発明によれば、加熱装置は、対象物に付された情報コードから対象物の加熱情報を取得し、取得した加熱情報に従って対象物への加熱を制御する。これにより、加熱装置に対して利用者が加熱条件の設定操作を行わなくても自動的に加熱条件の設定が行われ、適切に対象物を加熱することが可能となる。また、情報コードは印刷や貼付等によって簡単に対象物に付すことが可能であるため、汎用性の高い実用的な加熱システムを提供できる。
【０００９】
第１の発明において、前記加熱装置は、加熱室を有し、前記対象物が前記加熱室に載置された状態で前記情報コードを読み取るコード読取部を備えてもよい。このように、加熱装置にコード読取部を備えることにより、対象物が加熱室に載置された状態で情報コードを読み取ることができるため、コードを読み取るための特別な操作も不要となり便利である。
【００１０】
また、前記加熱情報は、前記対象物における１または複数の部分毎の加熱条件情報を含み、前記加熱制御部は、前記部分を、対応する前記加熱条件情報に従って加熱するようにしてもよい。これにより、部分毎に異なる加熱条件を容易に設定して部分加熱を行うことが可能となる。このとき、前記加熱情報は、前記部分の前記対象物内における位置情報である対象物内位置情報を含み、前記加熱制御部は、前記対象物内位置情報に基づいて、前記部分の前記加熱室内における位置情報である加熱室内位置情報を算出し、該加熱室内位置情報に基づいて前記部分の加熱領域を決定することが望ましい。これにより、情報コードから取得される各部分の位置情報（対象物内位置情報）に基づいて、加熱室内における各部分の位置情報（加熱室内位置情報）を算出し、各部分の加熱領域を決定することができる。
【００１１】
また、前記情報コードには、前記加熱情報を記憶する記憶領域のアドレス情報が記録され、前記加熱情報取得部は、前記情報コードから前記アドレス情報を読み取り、前記記憶領域にアクセスし、前記記憶領域から前記加熱情報を取得することが望ましい。これにより、情報コードに記録可能な情報量には限界があるが、アドレス情報に基づいて記憶領域にアクセス可能とすることで、加熱装置はより多くの情報量の加熱情報等を取得することが可能となる。
【００１２】
第２の発明は、対象物に付した情報コードと、前記対象物を加熱する加熱装置と、情報端末と、を備えた加熱システムであって、前記情報コードには、前記対象物の加熱情報を取得可能な情報が記録され、前記情報端末は、前記情報コードを読み取るコード読取部と、読み取った情報に基づき加熱情報を取得する加熱情報取得部と、取得した加熱情報を前記加熱装置に送信する送信部と、を備え、前記加熱装置は、前記情報端末から前記加熱情報を受信する受信部と、受信した加熱情報に従って前記対象物への加熱を制御する加熱制御部と、を備えることを特徴とする加熱システムである。
【００１３】
第２の実施の形態の加熱システムによれば、対象物に付された情報コードを情報端末により読み取って対象物の加熱情報を取得し、加熱装置へ送信する。加熱装置は情報端末から送信された加熱情報を取得して対象物への加熱を制御する。これにより、利用者が加熱条件の設定操作を行わなくても適切に対象物を加熱することが可能となる。また、情報コードは印刷や貼付等によって対象物に簡単に商品に付すことが可能であるため、汎用性の高い実用的な加熱システムを提供できる。また、加熱装置側に情報コードの読み取り部を設ける必要がないため、加熱装置を簡易な構成とすることが可能となる。
【００１４】
第３の発明は、対象物を加熱する加熱装置であって、前記対象物に付された情報コードから読み取った情報に基づき前記対象物の加熱情報を取得する加熱情報取得部と、取得した前記加熱情報に従って前記対象物への加熱を制御する加熱制御部と、を備えることを特徴とする加熱装置である。
【００１５】
第３の発明によれば、加熱装置は、対象物に付された情報コードから対象物の加熱情報を取得し、取得した加熱情報に従って対象物への加熱を制御する。これにより、加熱装置に対して利用者が加熱条件の設定操作を行わなくても自動的に加熱条件の設定が行われ、適切に対象物を加熱することが可能となる。また、情報コードは印刷や貼付等によって簡単に対象物に付すことが可能であるため、汎用性が高く実用的である。
【００１６】
第４の発明は、加熱装置により加熱される内容物を入れる容器であって、前記加熱装置における加熱情報を取得可能な情報コードが付された容器である。
第４の発明によって、第１または第２の発明の加熱システムにおける対象物としての容器が提供される。
【００１７】
第５の発明は、対象物に付した情報コードと、前記対象物を加熱する加熱装置と、を備えた加熱システムにおける加熱制御方法であって、前記情報コードには、前記対象物の加熱情報を取得可能な情報が記録され、前記加熱装置が、前記情報コードから読み取った情報に基づき加熱情報を取得するステップと、取得した加熱情報に従って前記対象物への加熱を制御するステップと、を含むことを特徴とする加熱制御方法である。
【００１８】
第５の発明によれば、加熱装置は、対象物に付された情報コードから対象物の加熱情報を取得し、取得した加熱情報に従って対象物への加熱を制御する。これにより、加熱装置に対して利用者が加熱条件の設定操作を行わなくても自動的に加熱条件の設定が行われ、適切に対象物を加熱することが可能となる。また、情報コードは印刷や貼付等によって簡単に対象物に付すことが可能であるため、汎用性が高く実用的な加熱制御方法となる。
【００１９】
第６の発明は、対象物を加熱する加熱装置を制御するコンピュータを、前記対象物に付された情報コードから読み取った情報に基づき前記対象物の加熱情報を取得する加熱情報取得手段、取得した加熱情報に従って前記対象物への加熱を制御する加熱制御手段、として機能させるためのプログラムである。
【００２０】
第６の発明により、コンピュータを第１または第２の発明の加熱システムにおける加熱装置、及び第３の発明の加熱装置として機能させることが可能となる。
【発明の効果】
【００２１】
本発明により、加熱装置に対する加熱条件の設定操作を不要とすることが可能な加熱システム、加熱装置、容器、加熱制御方法、及びプログラムを提供できる。
【図面の簡単な説明】
【００２２】
【図１】本発明に係る加熱システム１の概観図
【図２】情報コード４の例と、情報コード４に基づき取得される加熱情報４１の例を示す図
【図３】加熱装置２の構成を示すブロック図
【図４】加熱システム１が実行する加熱処理の流れを示すフローチャート
【図５】複数の部分を有する対象物３の一例を示す図
【図６】第２の実施の形態における加熱装置２Ａの構成を示すブロック図
【図７】複数の部分を有する対象物３に付される情報コード４の例と、情報コード４に基づき取得される情報の例。（ａ）サイズ情報４２、（ｂ）内容物情報４３、（ｃ）加熱条件情報４５
【図８】第２の実施の形態における加熱制御処理の流れを示すフローチャート
【図９】加熱室６内に載置された対象物３の画像（加熱室内画像６１；上面図）
【図１０】対象物３の各部分Ａ１〜Ａ４の加熱状態を説明する図
【図１１】（ａ）高さ方向に複数の部分Ｂ１、Ｂ２を有する対象物３ａの例、（ｂ）（ａ）の対象物３ａの情報コード４から取得可能な内容物情報４３ａの例
【図１２】情報コード４の付し方の例。（ａ）複数の２次元コード４ａ、４ｂを並べて付す場合、（ｂ）異なる種類の情報コード（バーコード４ｃと２次元コード４ｄ）を用いる場合
【図１３】本発明に係る加熱システム１のシステム構成例
【図１４】本発明に係る加熱システム１Ａのシステム構成例
【図１５】本発明に係る加熱システム１Ｂのシステム構成例
【図１６】本発明に係る加熱システム１Ｃのシステム構成例
【発明を実施するための形態】
【００２３】
［第１の実施の形態］
以下、図面に基づいて本発明の好適な実施形態について詳細に説明する。
【００２４】
図１は、本発明に係る加熱システム１の概観構成を示す図、図２は、対象物３に付される情報コード４の例と、情報コード４に基づき取得される加熱情報４１の例を示す図、図３は、第１の実施の形態における加熱装置２の構成を示すブロック図である。
【００２５】
図１に示すように、加熱システム１は、対象物３を加熱する加熱装置２と、対象物３に付された情報コード４とを備えて構成される。加熱装置２は、例えば、電子レンジやオーブンレンジ等の調理用加熱装置であり、対象物３を載置可能な加熱室６、及び扉５を有する。加熱装置２の前面パネルには利用者による手動操作を入力する操作部２６と、加熱情報４１（出力ワット数や加熱時間等）等が表示される表示部２７が設けられる。
【００２６】
情報コード４は、図２に示すような２次元コードやバーコード等を用い、加熱の対象物３の容器や包装（以下、容器と呼ぶ）に印刷または貼付により付される。容器は、どのような形状、材質を用いてもよいが、加熱装置２による加熱が可能な形状及び材質のものを採用する。情報コード４を付す位置は、対象物３が加熱装置２の加熱室６内に載置された際に、加熱室６内に設けられるコード読取部２３により読み取り可能な位置とする。例えば、コード読取部２３が加熱室６の庫内天井に設けられる場合は、情報コード４は対象物３の上面に設けられることが望ましい。なお、情報コード４を付す位置は上面に限定されず、対象物３の側面等としてもよい。情報コード４には、加熱装置２の出力ワット数や加熱時間等の加熱情報４１が加熱装置２の制御部２０が読み込める形式で記録される。或いは、情報コード４は、加熱装置２の記憶部２５や、通信部２８によりネットワーク１０を介して接続可能なデータベース（図１４参照）等の記憶領域に記憶された加熱情報４１のアドレス情報が記録されていてもよい。また、情報コード４には加熱情報４１の他に、食品名や内容量、消費期限等の情報またはこれらの情報を呼び出すためのアドレス情報が記録されてもよい。
【００２７】
加熱装置２は、図３に示すように、制御部２０、扉センサ２１、庫内照明部２２、コード読取部２３（カメラ）、加熱部２４、記憶部２５、操作部２６、表示部２７、及び通信部２８等を備える。また、制御部２０は、加熱情報取得部２０１、及び加熱制御部２０２を備える。
【００２８】
制御部２０は、ＣＰＵ（Central Processing Unit）、ＲＯＭ（Read Only Memory）、ＲＡＭ（Random Access Memory）等により構成され、加熱装置２の各部（扉センサ２１、庫内照明部２２、コード読取部２３（カメラ）、加熱部２４、記憶部２５、操作部２６、表示部２７、及び通信部２８）の動作等を制御する。ＣＰＵは、記憶部２５、ＲＯＭ等に格納されるプログラムをＲＡＭ上のワークメモリ領域に呼び出して実行し、バスを介して接続された各部を駆動制御する。ＲＯＭは、ブートプログラムやＢＩＯＳ等のプログラム、データ等を恒久的に保持する。ＲＡＭは、ロードしたプログラムやデータを一時的に保持するとともに、制御部２０が各種処理を行うために使用するワークエリアを備える。制御部２０は、上記プログラムを実行することにより、加熱装置２の各機能部として機能する。制御部２０は、機能部として加熱情報取得部２０１及び加熱制御部２０２を有する。
【００２９】
加熱情報取得部２０１は、コード読取部２３により情報コード４から読み取った情報に基づき加熱情報４１を取得する。図２に示すように、加熱情報４１とは、例えば、加熱装置２の出力ワット（Ｗ）数（２００Ｗ、５００Ｗ、６００Ｗ、１０００Ｗ、１５００Ｗ等）や加熱時間等の加熱に関する制御情報である。情報コード４にアドレス情報が記録されている場合、加熱情報取得部２０１は記憶部２５または通信部２８を介してネットワーク１０に接続された記憶領域（ＤＢ１１）から加熱情報４１を取得する。加熱情報取得部２０１は、取得した加熱情報４１を加熱制御部２０２に送信する。制御部２０は、加熱情報取得部２０１により読み取った加熱情報４１を表示部２７に表示してもよい。
【００３０】
加熱制御部２０２は、加熱情報取得部２０から取得した加熱情報４１に基づいて加熱部２４における加熱動作を制御する制御信号を生成し、加熱部２４に送信する。例えば、図２に示す加熱情報４１を取得した場合には、加熱部２４における出力ワット数を「５００Ｗ」に設定する。また加熱制御部２０２は、庫内における対象物３０の載置状態や扉５の開閉状態を取得して、加熱を開始するタイミング及び加熱を停止するタイミングを制御する。図２に示す加熱情報４１の場合は、加熱時間が２分であるので、タイマ（不図示）を「２分」にセットし、加熱開始から２分後に加熱を停止させる。
【００３１】
加熱部２４は、加熱制御部２０２からの制御信号に従って対象物３への加熱を行う。電子レンジの場合、加熱部２４は加熱室６内にマイクロ波を照射するマイクロ波発生部等を備える。マイクロ波発生部は、マグネトロンを用いて構成するものの他、半導体素子を用いて構成するものがある。本発明の第１の実施の形態の加熱システム１ではいずれの加熱方式を用いてもよい。なお、対象物３の範囲のみへの加熱や対象物３の部分加熱を行う場合には、半導体素子を用いて構成したマイクロ波発生部を用いることが好ましい。半導体素子を用いて構成したマイクロ波発生部は、マグネトロンを用いた場合と比較して指向性の高いマイクロ波を加熱対象物に照射できる。部分加熱については、第２の実施の形態として説明する。
【００３２】
なお、加熱部２４は、レンジ加熱の他に、ヒータ加熱、対流加熱、ファンによる強制加熱等、各種の加熱方式のものでもよい。また、これらの各種の加熱方式を単独で使用するのみならず併用してもよい。その場合、情報コード４に記録される加熱情報４１には、加熱部２４の該当する加熱方式についての加熱制御情報が含まれるものとする。また、例えば、「レンジ加熱連続運転」、「ヒータ加熱連続運転」、「レンジ加熱間欠運転」、「ヒータ加熱間欠運転」、「レンジ→ヒータ連続運転」等のように単独運転、または組み合わせ運転を実行するための制御情報を含むものとしてもよい。
【００３３】
扉センサ２１は、扉５の開閉状態を検知するセンサである。扉センサ２１は、扉５が開状態であるか、または閉状態であるかを検知して制御部２０に通知する。
【００３４】
庫内照明部２２は、加熱室６内の照明であり、制御部２０の制御により照明のスイッチがオン／オフされる。例えば、扉５が開状態のときやコード読取部２３が情報コード４の読み取り動作を行っているとき、または加熱部２４による加熱動作中等、所定のタイミングで庫内照明部２２により庫内の照明が点灯する。
【００３５】
コード読取部２３は、加熱室６に載置された情報コード４を読み取る装置であり、情報コード４に対応した読取装置を用いる。具体的には、例えば、情報コード４として２次元コードを用いる場合には、カメラをコード読取部２３として設ける。また、情報コード４としてバーコードを用いる場合には、バーコードリーダが設けられる。コード読取部２３は、例えば、庫内天井面や庫内側面等、対象物３を加熱室６に載置した際に情報コード４を読み取り可能な位置に設けられる。コード読取部２３は制御部２０からの制御信号に従って情報コード４の読み取り動作を開始／停止する。コード読取部２３は、読み取ったコードの情報を加熱情報取得部２０１に出力する。
【００３６】
記憶部２５は、制御部２０が実行するプログラムや、プログラム実行に必要なデータ等が格納されている。これらのプログラムコードは、制御部１１により必要に応じて読み出されてＲＡＭに移され、ＣＰＵに読み出されて実行される。
【００３７】
操作部２６は、例えば、タッチパネル、各種スイッチボタン、ダイヤル等の操作入力装置であり、入力されたデータを制御部２０へ出力する。
表示部２７は、例えば液晶パネル等の表示画面で構成され、制御部２０により入力された表示情報を表示画面上に表示させる。なお、操作部２６及び表示部２７は、表示画面にタッチパネルを一体的に設けたタッチパネルディスプレイとしてもよい。
【００３８】
通信部２８は、通信制御装置、通信ポート等を有し、ネットワーク１０等との通信を制御する。ネットワーク１０は、ＬＡＮ（Local Area Network）や、より広域に通信接続されたＷＡＮ（Wide Area Network）、またはインターネット等の公衆の通信回線、基地局等を含む。ネットワーク１０は有線、無線を問わない。加熱装置２はネットワーク１０を介してデータベース１１にアクセスし、各種のプログラムやデータ（加熱情報等）を送受信可能である。
【００３９】
次に、図４を参照して、加熱システム１における加熱装置２が実行する加熱制御処理の流れについて説明する。加熱装置２の制御部２０は記憶部２５から図４に示す処理に関するプログラム及びデータを読み出し、このプログラム及びデータに基づいて処理を実行する。
【００４０】
加熱装置２の制御部２０は、加熱室６内に対象物３が載置されているか否かを監視する（ステップＳ１０１）。例えば、コード読取部２３のカメラを利用することにより加熱室６内の対象物３の載置状態を監視できる。加熱室６内に対象物３が載置されていない場合は（ステップＳ１０１；Ｎｏ）、対象物３が載置されるのを待機する。加熱室６内に対象物３が載置された場合は（ステップＳ１０１；Ｙｅｓ）、次に、制御部２０は扉５の開閉状態を確認する。扉５が開状態の場合は（ステップＳ１０２；Ｎｏ）、扉５が閉められるのを待機し、扉５が閉状態になると（ステップＳ１０２；Ｙｅｓ）、コード読取部２３に情報コード４の読み取りを開始させる（ステップＳ１０３）。
【００４１】
ステップＳ１０３において、制御部２０は、コード読取部２３における情報コード４の読み取りができるように庫内照明部２２をオンにすることが望ましい。コード読取部２３は、対象物３の容器に付されている情報コード４を読み取る。読み取りエラーが発生した場合は（ステップＳ１０４；Ｙｅｓ）、制御部２０はマニュアル操作を受け付ける（ステップＳ１０５）。マニュアル操作では、利用者による操作部２６からの加熱条件（出力ワット数、加熱時間）の入力を受け付ける。
【００４２】
情報コード４の読み取りエラーがなく（ステップＳ１０４；Ｎｏ）、情報コード４の読み取りが完了すると、加熱情報取得部２０１は、情報コード４から読み取った情報に基づき加熱情報を取得する（ステップＳ１０６）。
【００４３】
ステップＳ１０６において、加熱情報取得部２０１は、情報コード４に加熱情報４１が記録されている場合は、情報コード４から読み取った加熱情報４１を加熱制御部２０２に伝達する。情報コード４に加熱情報４１を取得するためのアドレス情報が記録されている場合は、加熱情報取得部２０１は、加熱装置２の記憶部２５またはネットワーク１０を介して接続可能なサーバ等の記憶部（データベース１１）に記憶された加熱情報４１を読み出す。加熱情報取得部２０１は、取得した加熱情報４１を加熱制御部２０２に伝達する。
【００４４】
加熱制御部２０２は、取得した加熱情報４１に基づいて加熱部２４における加熱動作を制御する制御信号を生成し、加熱部２４に送信する。加熱部２４は、制御信号に従って、所定の加熱時間、所定の出力ワット数で加熱を開始する。加熱時間が経過すると加熱動作を終了する（ステップＳ１０７）。
【００４５】
このように、加熱システム１では、加熱する対象物３の容器に加熱情報４１を取得可能な情報コード４を付しておき、加熱装置２の加熱室６内に対象物３が載置され、扉５が閉じられると、加熱装置２のコード読取部２３が対象物３に付された情報コード４を読み取って加熱情報４１を取得し、取得した加熱情報４１に従って対象物３の加熱を制御する。そのため、利用者が加熱条件の入力操作を行わなくても、対象物３に適した加熱条件に従って加熱装置２における加熱動作を行わせることが可能となる。また、加熱装置２は、加熱室６に載置された状態で情報コード４を読み取ることとすれば、利用者が対象物３を加熱室６に置くだけで加熱情報４１を自動セットできるため、円滑である。
【００４６】
［第２の実施の形態］
上述の第１の実施の形態では、情報コード４から取得可能な加熱情報４１として、加熱時間と出力ワット数等の加熱条件が設定されるものとしたが、本発明はこれに限定されない。例えば、加熱情報４１は、対象物３における１または複数の部分毎の加熱条件を含むことが望ましい。以下、図５に示すように、対象物３が複数の部分Ａ１〜Ａ４を有し、部分Ａ１〜Ａ４毎に加熱条件を設定して加熱を行う場合について説明する。
【００４７】
図５は、部分を有する対象物３について説明する図であり、対象物３の上面図である。対象物３は、例えば弁当等のように複数の部分Ａ１、Ａ２、Ａ３、Ａ４を有するものとする。また、対象物の容器の上面（例えば、容器の蓋）に情報コード４が付されているものとする。
【００４８】
図５の符号Ｐ１〜Ｐ１２は、対象物３内における位置を示す符号である。対象物３内の位置（以下、対象物内位置情報と呼ぶ）Ｐ１〜Ｐ１２は、予め定められている基準位置を原点とする各位置の座標値として情報コード４に記録されている。基準位置は、例えば、情報コード４内の所定部位とする。具体的には、例えば、２次元コードを用いる場合には、情報コード４は３つの位置検出用マークｍ１、ｍ２、ｍ３を有するが、これらの位置検出用マークｍ１、ｍ２、ｍ３のうちのいずれか１つの位置（例えば、マークｍ１）を基準位置とする。また後述するように、位置検出用マークは、対象物３が加熱室６のどの位置に置かれているか（載置位置）を認識するためにも用いられる。
【００４９】
情報コード４の位置検出用マークｍ１、ｍ２、ｍ３を対象物３の向きに対して予め定めた配置となるように付すものとすれば、３つの位置検出用マークｍ１、ｍ２、ｍ３の配置から対象物内の座標軸（Ｘ軸、Ｙ軸）の方向が決定できる。これにより、点Ｐ１〜Ｐ１２の基準位置を原点とする対象物３内の位置（座標値）が決定できる。また、情報コード４の３つの位置検出用マークｍ１、ｍ２、ｍ３の配置から対象物３が加熱室６に対してどの角度に置かれているか（載置方向）も認識可能である。
【００５０】
図６は第２の実施の形態の加熱システム１で用いる加熱装置２Ａの構成を示すブロック図である。加熱装置２Ａは、制御部２０、扉センサ２１、庫内照明部２２、コード読取部２３、加熱部２４、記憶部２５、操作部２６、表示部２７、通信部２８、及び加熱室内画像取得部２９等を備える。以下の説明では、第１の実施の形態の加熱システム１の構成と同一の各部については、重複する説明を省略し、同一の符号を付して説明するものとする。
【００５１】
加熱部２４は、対象物３を部分毎に加熱／非加熱することが可能なものとする。部分加熱制御が可能な加熱装置については、例えば、特開２０１６−１１０７５０号公報等に記載されている。特開２０１６−１１０７５０号公報に記載される加熱装置は、半導体素子を用いたマイクロ波発生部を用いて加熱部２４を構成することにより、指向性の高いマイクロ波を加熱対象物に照射可能とするものである。
【００５２】
加熱室内画像取得部２９は、加熱室６内の画像を撮影するカメラである。このカメラは、コード読取部２３として用いるカメラと兼用してもよいし、別に備えてもよい。加熱室内画像取得部２９は、例えば、情報コード４の読み取り後、加熱室内画像６１の撮影を行い、撮影した加熱室内画像６１を制御部２０に送信する。
【００５３】
制御部２０は、加熱情報取得部２０１、加熱制御部２０２に加えて、位置情報取得部２０３を備える。位置情報取得部２０３は、加熱室内画像取得部２９により取得した加熱室内画像６１に基づいて上述の基準位置（対象物３の情報コード４の所定部位）、対象物３の載置方向、対象物３の大きさ、等を検出する。
【００５４】
加熱制御部２０２は、位置情報取得部２０３により検出した基準位置、載置方向、対象物３の大きさ、及び対象物３の情報コード４に記録されている対象物内位置情報に基づいて、加熱室６に載置された対象物３の各点Ｐ１〜Ｐ１２の位置情報（対象物内位置情報）を加熱室内の位置情報である加熱室内位置情報Ｑ１〜Ｑ１２に変換する。そして、算出した加熱室内位置情報Ｑ１〜Ｑ１２に基づいて対象物３を部分毎に加熱制御する。
【００５５】
第２の実施の形態において、加熱装置２Ａは、複数の部分を有する対象物３について、部分毎にそれぞれ加熱条件を設定する。例えば、「さしみ」や「サラダ」や「果物」や「調味料等の容器（小袋）」を入れる部分は非加熱とし、「揚げ物」や「煮物」等の温めるおかずや「ごはん」等を入れる部分はそれぞれ適切な加熱条件で加熱するよう設定する。
【００５６】
第２の実施の形態において、情報コード４には、加熱情報として、図７に示すように（ａ）サイズ情報４２、（ｂ）内容物情報４３、及び（ｃ）加熱条件情報４５が記録されるものとする。なお、情報コード４には、これらの加熱情報のアドレス情報が記録されていてもよい。
【００５７】
サイズ情報４２は、対象物３全体の大きさの情報であり、対象物３の縦、横の長さ（寸法）の情報である。また、必要に応じて対象物３の高さの情報を含めてもよい。
【００５８】
内容物情報４３は、各部分の対象物内位置情報と各部分に入れられる内容物とを対応づけて格納するデータテーブルである。対象物３の各部分には、部位ＩＤが付与される。例えば、部位ＩＤ「Ａ１」の部分は、図５の対象物３の部分Ａ１に相当する部分であり、対象物内位置情報として「Ｐ１、Ｐ２、Ｐ４、Ｐ５」が設定されている。この対象物内位置情報とは、部位ＩＤ「Ａ１」の部分が点Ｐ１、Ｐ２、Ｐ４、Ｐ５で囲まれる領域であることを意味している。
【００５９】
同様に、部位ＩＤ「Ａ２」は、図５の対象物３の部分Ａ２に相当し、その対象物内位置情報として「Ｐ４、Ｐ５、Ｐ６、Ｐ７」が設定されている。部位ＩＤ「Ａ３」は、図５の対象物３の部分Ａ３に相当し、その対象物内位置情報として「Ｐ２、Ｐ３、Ｐ７、Ｐ８」が設定されている。部位ＩＤ「Ａ４」は、図５の対象物３の部分Ａ４に相当し、その対象物内位置情報として「Ｐ９、Ｐ１０、Ｐ１１、Ｐ１２」が設定されている。
【００６０】
内容物情報４３には、対象物内位置情報と対応づけて各部分の内容物の情報が紐付けられている。具体的には、部分Ａ１に「さしみ」、部分Ａ２に「煮物」、部分Ａ３に「ごはん」、部分Ａ４に「醤油の小袋」の情報が紐づけられている。
【００６１】
加熱条件情報４５は、対象物３の各部分の内容物に応じた適切な加熱条件が設定されている。例えば、内容物が「さしみ」、「醤油の小袋」については非加熱とし、「煮物」については「５００Ｗ、１分」、「ごはん」については「５００Ｗ、１分３０秒」のように、加熱条件が設定されているものとする。
【００６２】
なお、加熱条件情報４５については、加熱装置２Ａの記憶部２５に予め記憶されていてもよい。すなわち、「ごはん」等の代表的な内容物については加熱条件を予め加熱装置２Ａに記憶させておけば、情報コード４には加熱条件情報４５を記録する必要はないため、情報コード４に記録する情報量を低減できる。この場合、加熱制御部２０２は、情報コード４から取得した内容物情報４３に基づいて加熱条件情報４５を記憶部２５から取得し、各部分についてそれぞれ内容物に適した加熱条件で加熱を行うよう制御する。
【００６３】
また、図７（ｂ）に示す内容物情報４３と図７（ｃ）に示す加熱条件情報４５とを組み合わせ、部位毎に対象物内位置情報と内容物情報と加熱条件情報とを紐づけて格納したデータテーブルを加熱情報として情報コード４に記録してもよい。
【００６４】
次に、第２の実施の形態の加熱システム１における加熱動作について説明する。
第２の実施の形態における加熱動作は、第１の実施の形態（図４）の加熱制御処理と同様に、加熱室６に対象物３が載置され、扉５が閉状態となると開始される。すなわち、図４に示すように、まず、加熱装置２の制御部２０は、加熱室６内に対象物３が載置されているか否かを監視し（ステップＳ１０１）、加熱室６内に対象物３が載置されていない場合は（ステップＳ１０１；Ｎｏ）、対象物３が載置されるのを待機する。加熱室６内に対象物３が載置されると（ステップＳ１０１；Ｙｅｓ）、次に、制御部２０は扉５の開閉状態を確認する。扉５が開状態の場合は（ステップＳ１０２；Ｎｏ）、待機し、扉５が閉状態になると（ステップＳ１０２；Ｙｅｓ）、コード読取部２３に情報コード４の読み取りを開始させる（ステップＳ１０３）。
【００６５】
コード読取部２３は、対象物３の容器に付されている情報コード４の情報を読み取る（ステップＳ１０３）。読み取りエラーが発生した場合は（ステップＳ１０４；Ｙｅｓ）、制御部２０はマニュアル操作を受け付ける（ステップＳ１０５）。マニュアル操作では、利用者による操作部２６からの加熱条件（出力ワット数、加熱時間）等の入力を受け付ける。
【００６６】
情報コード４の読み取りエラーがなく（ステップＳ１０４；Ｎｏ）、情報コード４の読み取りが完了すると、加熱情報取得部２０１は、情報コード４から読み取った情報に基づき加熱情報を取得する（ステップＳ１０６）。
【００６７】
ここで、情報コード４から読み取った加熱情報に、図７に示すような、サイズ情報４２と内容物情報４３と加熱条件情報４５が含まれるものとする。加熱情報取得部２０１は、情報コード４から読み取った加熱情報（サイズ情報４２、内容物情報４３、加熱条件情報４５）を加熱制御部２０２に送信する。
【００６８】
なお、情報コード４に情報を取得するためのアドレス情報が記録されている場合は、加熱情報取得部２０１は、加熱装置２の記憶部２５またはネットワーク１０を介して接続可能な記憶領域（ＤＢ１１）に記憶された加熱情報（サイズ情報４２、内容物情報４３、及び加熱条件情報４５）を読み出し、加熱制御部２０２に送信する。
【００６９】
加熱制御部２０２は、取得した加熱情報に基づいて加熱部２４における加熱動作を制御する制御信号を生成し、加熱部２４に送信する。加熱部２４は、制御信号に従った加熱制御を行う（ステップＳ１０７）。第２の実施の形態では、ステップＳ１０７の加熱制御処理として図８に示す加熱制御処理を実行する。
【００７０】
加熱制御処理において、制御部２０は、まず加熱室内画像６１を取得する（ステップＳ２０１）。加熱室内画像６１とは、加熱室６に載置された対象物３全体を撮影した画像である。加熱室内画像６１は、例えば、庫内天井に設置されたカメラ（加熱室内画像取得部２９）により撮影可能である。
【００７１】
図９は、加熱室内画像６１の一例である。加熱室内画像６１上に付与されているグリッド線は、加熱室６の載置面の縦方向及び横方向に対応して所定間隔で配置されている。したがって、加熱室内画像６１内における対象物３の各部分の画像座標値ｐ１〜ｐ１２と、加熱室６における対象物３の各部分の実座標値（加熱室内位置情報）Ｑ１〜Ｑ１２とを対応づけることができる。
【００７２】
制御部２０は、取得した加熱室内画像６１に基づき、対象物内位置情報を加熱室内位置情報に変換する（ステップＳ２０２）。これにより、対象物３の各部分Ａ１〜Ａ４の加熱室内における位置が求められるので、各部分に対してマイクロ波を適切に照射することが可能となる。
【００７３】
対象物内位置情報から加熱室内位置情報への変換について具体例を説明する。
まず、制御部２０（位置情報取得部２０３）は、加熱室内画像６１から加熱室内における対象物３の位置（以下、「載置位置」）を求める。例えば、対象物内位置情報Ｐ１〜Ｐ１２が、対象物３の容器に付された情報コード４の位置検出用マークｍ１の位置を基準（原点）とした位置情報である場合、制御部２０（位置情報取得部２０３）は、対象物３の載置位置として、加熱室６に載置された対象物３に付された情報コード４の位置検出用マークｍ１の位置情報を求める。
【００７４】
続いて、制御部２０（位置情報取得部２０３）は、加熱室内画像６１から加熱室内における対象物３の向き（以下、「載置方向」）を求める。例えば、情報コード４の位置検出用マークｍ１、ｍ２、ｍ３の配置から情報コード４の向きを認識することで、加熱室６に載置された対象物３の載置方向（加熱室内画像６１の座標（グリッド線）に対する対象物内座標（Ｘ，Ｙ）の角度）を求める。或いは、加熱室内画像６１から対象物３の形状（例えば容器の外縁の形状）を認識することで、対象物３の載置方向を求めてもよい。
【００７５】
以上のように加熱室内における対象物３の載置状態（載置位置および載置方向）が分かると、対象物３の各部分の加熱室内における位置（加熱室内位置情報）を求めることができる。すなわち、制御部２０（加熱制御部２０２）は、加熱室内画像６１から検出した対象物３の載置位置および載置方向に基づいて、対象物内位置情報Ｐ１〜Ｐ１２を加熱室６内の対応する位置（加熱室内位置情報）Ｑ１〜Ｑ１２に変換する。より詳細には、対象物内位置情報Ｐ１〜Ｐ１２を加熱室内画像６１上の画像座標値ｐ１〜ｐ１２に変換したのち、この画像座標値ｐ１〜ｐ１２を加熱室６内における実座標値（加熱室内位置情報）Ｑ１〜Ｑ１２に変換する。
【００７６】
このようにして、加熱制御部２０２は、対象物３の各部分Ａ１〜Ａ４の加熱室６内における位置情報（加熱室内位置情報）を求めることができる。
【００７７】
対象物３の各部分Ａ１〜Ａ４の加熱室６内における位置情報（加熱室内位置情報）が求められると、加熱制御部２０２は、加熱室内位置情報に基づいて各部分Ａ１〜Ａ４の加熱領域を決定し、各部分Ａ１〜Ａ４をそれぞれ加熱条件情報４５で定められた加熱条件（非加熱、或いは、所定の加熱時間、所定の出力ワット数）で加熱する。加熱時間が経過すると加熱動作を終了する（ステップＳ２０３）。
【００７８】
図１０は、加熱室６における加熱の状態を示す図である。図７に示す内容物情報４３及び加熱条件情報４５に従って、部分Ａ１（加熱室内位置Ｑ１、Ｑ２、Ｑ４、Ｑ５で囲まれる領域）と部分Ａ４（加熱室内位置Ｑ９、Ｑ１０、Ｑ１１、Ｑ１２で囲まれる領域）は非加熱であり、部分Ａ２（加熱室内位置Ｑ４、Ｑ５、Ｑ６、Ｑ７で囲まれる領域）は、５００Ｗで１分加熱され、部分Ａ３（加熱室内位置Ｑ２、Ｑ３、Ｑ７、Ｑ８で囲まれる領域）は、５００Ｗで１分３０秒加熱される。
【００７９】
以上説明したように、第２の実施の形態の加熱システム１では、対象物３が複数の部分を有する場合に、情報コード４に各部分の対象物内位置情報４３及び加熱条件情報４５を設定することで、各部分をそれぞれ適切な加熱条件で加熱することができる。
【００８０】
なお、第２の実施の形態では、対象物３が複数の部分を有する場合について説明しているが、対象物３全体を１つの部分とする場合にも適用できる。すなわち、加熱装置２Ａは、加熱室内画像６１（図９）から対象物３全体の領域を求め、対象物３の領域全体を所定の加熱条件で加熱するようにしてもよい。
【００８１】
また、例えば図１１に示す対象物３ａのように、加熱室６内の高さ方向で部分Ｂ１と部分Ｂ２に分割されている場合にも適用可能である。
【００８２】
図１１（ａ）に示すように、部分Ｂ１は高さ位置Ｐ２１〜Ｐ２２の領域とし、部分Ｂ２は高さ位置Ｐ２２〜Ｐ２３の領域とする。また、情報コード４には、図７（ｂ）の内容物情報４３に代えて、図１１（ｂ）の内容物情報４３ａが記録されているものとする。内容物情報４３ａは、高さ方向に分割された各部位Ｂ１、Ｂ２についての対象物内位置情報とその部分Ｂ１、Ｂ２の内容物の情報が紐付けられている。
【００８３】
加熱制御部２０２は、加熱室内画像取得部２９により取得した加熱室内画像６１と情報コード４から読み取った加熱情報（内容物情報４３ａ、及び加熱条件情報４５）に従って、加熱室６内における各部分Ｂ１、Ｂ２の位置を算出し、各部分Ｂ１、Ｂ２についてそれぞれ異なる加熱条件を設定し、加熱を行うことができる。
【００８４】
上述の第１及び第２の実施の形態では、１つの情報コード４を対象物３に付すものとしたが、情報コード４に記録可能な情報量は限度があるため、対象物３に付す情報コード４を複数としてもよい。図１２は、複数の情報コード４の使用例である。図１２（ａ）に示すように、複数の２次元コード４ａ、４ｂを対象物３に並べて付してもよいし、図１２（ｂ）に示すバーコード４ｃと２次元コード４ｄのように、異なる種類の情報コード４を組み合わせて対象物３に付してもよい。複数の情報コード４を用いる場合には、情報コード４から読み取れる情報量を容易に増やすことが可能となる。また、複数の情報コード４の配置から、対象物３の座標軸の方向を簡単に決定することも可能となる。例えば、図１２（ａ）のように、２つの情報コード４ａ、４ｂを並べて使用する場合には、各情報コード４ａ、４ｂの位置検出用マークの配置と並び方から、対象物３のＸ方向とＹ方向とを予め定めておけばよい。
【００８５】
また、図１２（ｂ）のように、異なる種類の情報コード４を組み合わせて対象物３に付した場合には、バーコード４ｃの情報を持つ方向をＸ方向とし、バーコード４ｃを基準として２次元コード４ｄが配置された方向がＸ方向の正方向等のように認識可能である。
【００８６】
［第３の実施の形態］
次に、加熱システム１のシステム構成の態様について説明する。図１３、図１４は、第１の実施の形態の加熱システム１のシステム構成例であるが、図１５、図１６に示すように、情報端末８を用いて対象物３に付されている情報コード４を読み取り、読み取った情報を情報端末８から加熱装置２に対して送信するようにしてもよい。
以下、各加熱システム１、１Ａ〜１Ｃのシステム構成について説明する。
【００８７】
図１３の加熱システム１は、加熱情報４１を取得可能な情報コード４が付された対象物３と、対象物３を加熱する加熱装置２と、から構成される。
図１３の加熱システム１では、加熱装置２が対象物３の情報コード４を読み取り、読み取った情報コード４から取得された加熱情報４１に基づいて、加熱制御部２０２は加熱部２４における加熱動作を制御する。情報コード４には、加熱部２４を制御するための加熱情報４１そのものが記録されていてもよいし、加熱装置２の記憶部２５から加熱情報４１を呼び出すためのアドレス情報が記録されていてもよい。
【００８８】
また、図１４の加熱システム１Ａは、加熱情報４１を取得可能な情報コード４が付された対象物３と、対象物３を加熱する加熱装置２と、加熱装置２とネットワーク１０を介して通信接続されるデータベース（ＤＢ）１１と、から構成される。
図１４の加熱システム１Ａでは、加熱装置２のコード読取部２３が対象物３の情報コード４を読み取り、読み取った情報コード４に基づいて、加熱装置２の通信部２８によりネットワーク１０を介してＤＢ１１にアクセスし、ＤＢ１１に記憶されている加熱情報４１を取得する。加熱制御部２０２は、取得した加熱情報４１に基づいて加熱部２４における加熱動作を制御する。情報コード４には、加熱部２４を制御するための加熱情報４１そのものではなく、ネットワーク１０を介して接続されたＤＢ１１から加熱情報４１を呼び出すためのアドレス情報が記録されている。
【００８９】
図１３及び図１４のシステム構成の加熱システム１、１Ａは、第１及び第２の実施の形態の加熱制御動作を実行可能である。すなわち、第１の実施の形態のように、情報コード４から、出力ワット数と加熱時間等の加熱情報が取得できる場合には、加熱制御部２０２は、取得した加熱情報に従って、所定の出力ワット数で所定の加熱時間だけ加熱部２４における加熱を行う。一方、第２の実施の形態のように、情報コード４からサイズ情報４２、内容物情報４３、加熱条件情報４５が取得できる場合には、加熱制御部２０２は、取得した内容物情報に従って、図８〜図１０に示すような部分加熱を行う。
【００９０】
図１５の加熱システム１Ｂは、加熱情報４１を取得可能な情報コード４が付された対象物３と、対象物３を加熱する加熱装置２と、対象物３に付された情報コード４を読み取り、読み取った情報を加熱装置２に送信する情報端末８とを備えて構成される。
【００９１】
情報端末８は、カメラ機能付きのスマートフォンやタブレット、ゲーム機等の携帯情報端末である。情報端末８は、情報コード４を読み取るコード読取部（カメラ）及び加熱装置２へ情報を送信する送信部を備える。送信部は、例えば、赤外線通信やBluetooth（登録商標）等の近距離無線通信等を用いればよい。
【００９２】
加熱システム１Ｂの加熱装置２は、コード読取部２３を備えなくてもよいが、情報端末８の送信部からの情報を受信可能な受信部を備える必要がある。また、制御部２０、扉センサ２１、庫内照明部２２、加熱部２４、記憶部２５、操作部２６、表示部２７、通信部２８、及び加熱室内画像取得部２９等を備える。
【００９３】
図１５の加熱システム１Ｂでは、対象物３を加熱装置２に載置する前に、情報端末８が対象物３の情報コード４を読み取り、読み取った情報コード４の加熱情報４１（サイズ情報４２、内容物情報４３、加熱条件情報４５）を情報端末８が加熱装置２に送信する。加熱装置２は、情報端末８から送信された情報を受信し、制御部２０（加熱制御部２０２）に送信する。対象物３が加熱室６に載置され、扉５が閉じられると、加熱制御部２０２は、受信した情報に基づいて加熱部２４による加熱動作を制御する。情報コード４には、加熱部２４を制御するための加熱情報４１等そのものが記録されていてもよいし、加熱装置２の記憶部２５から加熱情報４１等を呼び出すためのアドレス情報が記録されていてもよい。
【００９４】
また、図１６の加熱システム１Ｃは、加熱情報４１を取得可能な情報コード４が付された対象物３と、対象物３を加熱する加熱装置２と、対象物３に付された情報コード４を読み取り、読み取った情報を加熱装置２に送信する情報端末８と、情報端末８とネットワーク１０を介して通信接続されるデータベース（ＤＢ）１１と、を備えて構成される。
【００９５】
加熱システム１Ｃにおける情報端末８は、図１５の加熱システム１Ｂにおける情報端末８と同様に、カメラ機能付きのスマートフォンやタブレット、ゲーム機等の携帯情報端末である。情報端末８は、情報コード４を読み取るコード読取部（カメラ）及び加熱装置２へ情報を送信する送信部と備える。送信部は、例えば、赤外線通信やBluetooth（登録商標）等の近距離無線通信等を用いればよい。更に、図１６の加熱システム１Ｃにおける情報端末８は、ネットワーク１１を介してサーバやＤＢ１１等への通信を行う通信部を備える。
【００９６】
加熱システム１Ｃの加熱装置２は、図１５の加熱システム１Ｂと同様に、コード読取部２３を備えなくてもよいが、情報端末８の送信部からの情報を受信可能な受信部を備える必要がある。また、制御部２０、扉センサ２１、庫内照明部２２、加熱部２４、記憶部２５、操作部２６、表示部２７、通信部２８、及び加熱室内画像取得部２９等を備える。
【００９７】
図１６の加熱システム１Ｃでは、対象物３を加熱装置２に載置する前に、情報端末８により対象物３の情報コード４を読み取り、読み取った情報コード４に基づき取得した情報（加熱情報４１、サイズ情報４２、内容物情報４３、加熱条件情報４５）を情報端末８が加熱装置２に送信する。情報コード４には、加熱部２４を制御するための加熱情報４１そのものではなく、ネットワーク１０を介して接続されたＤＢ１１から加熱情報４１を呼び出すためのアドレス情報が記録されている。情報端末８は、情報コード４から読み取ったアドレス情報に基づきネットワーク１０を介してＤＢ１１にアクセスし、加熱情報４１等を取得する。情報端末８は取得した加熱情報４１等を送信部から加熱装置２に送信する。加熱装置２の受信部は情報端末８から送信された加熱情報４１を受信し、制御部２０（加熱制御部２０２）に送信する。対象物３が加熱室６に載置され、扉５が閉じられると、加熱制御部２０２は、受信した加熱情報４１等に基づいて加熱部２４による加熱を制御する。
【００９８】
図１５及び図１６のシステム構成の加熱システム１Ｂ、１Ｃについても、第１及び第２の実施の形態の加熱制御動作を実行可能である。すなわち、第１の実施の形態のように、情報コード４から、出力ワット数と加熱時間等の加熱情報４１が取得できる場合には、加熱制御部２０２は、取得した加熱情報４１に従って、所定の出力ワット数で所定の加熱時間だけ加熱部２４における加熱を行う。
【００９９】
一方、第２の実施の形態のように、情報コード４からサイズ情報４２、内容物情報４３、加熱条件情報４５が取得できる場合には、加熱制御部２０２は、取得した内容物情報４３及び加熱条件情報４５に従って部分加熱を行う。
【０１００】
以上説明したように、加熱システム１Ｂ、１Ｃによれば、加熱の対象物３に付した情報コード４を情報端末８で読取り、情報端末８は読み取った情報に基づいて加熱情報４１を取得して、加熱装置２に送信する。加熱装置２では、情報端末８から受信した加熱情報４１に従って、対象物３の加熱を制御する。これにより、加熱装置２にコード読取部を設けなくても、情報端末８で読み取った情報を加熱装置２に送信することで、第１及び第２の実施の形態と同様に、対象物３の加熱を制御することが可能となる。
【０１０１】
以上、添付図面を参照して、本発明に係る加熱システム等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１０２】
１、１Ａ〜１Ｃ………加熱システム
２、２Ａ………………加熱装置
３、３ａ………………対象物（容器）
４、４ａ〜４ｄ………情報コード
５………………………扉
６………………………加熱室
８………………………情報端末
１０……………………ネットワーク
１１……………………データベース（ＤＢ）
２０……………………制御部
２０１…………………加熱情報取得部
２０２…………………加熱制御部
２０３…………………位置情報取得部
２１……………………扉センサ
２２……………………庫内照明部
２３……………………コード読取部
２４……………………加熱部
２５……………………記憶部
２６……………………操作部
２７……………………表示部
２８……………………通信部
２９……………………加熱室内画像取得部
４１……………………加熱情報
４２……………………サイズ情報
４３、４３ａ…………内容物情報
４５……………………加熱条件情報
６１……………………加熱室内画像
Ａ１〜Ａ４……………対象物３の部分
Ｂ１〜Ｂ２……………対象物３ａの部分
【図１】
2019011882.tif 000003
【図２】
2019011882.tif 000004
【図３】
2019011882.tif 000005
【図４】
2019011882.tif 000006
【図５】
2019011882.tif 000007
【図６】
2019011882.tif 000008
【図７】
2019011882.tif 000009
【図８】
2019011882.tif 000010
【図９】
2019011882.tif 000011
【図１０】
2019011882.tif 000012
【図１１】
2019011882.tif 000013
【図１２】
2019011882.tif 000014
【図１３】
2019011882.tif 000015
【図１４】
2019011882.tif 000016
【図１５】
2019011882.tif 000017
【図１６】
2019011882.tif 000018